(57)【要約】      （修正有）【課題】フレームの周辺縁の曲線に出っ張りがない携帯時計の構造の提供。【解決手段】主に時計フレーム１１、その時計フレーム１１に時計構造納置台１２を被せる。その時計構造納置台１２背部には蓋板１３を設置する。この時計構造納置台１２は、周辺壁１２１に時計構造納置室１２２が形成され、その時計構造納置室１２２内部に時計構造部品１２３を設置する。この時計構造部品１２３から針調整桿１２４が伸び、周辺壁１２１には穿孔１２５がされ、そこに竜頭１２６と針調整桿１２４が接合されて、時計の針を調整する。この針調整桿１２４の竜頭１２６は、時計フレーム１１の内縁に設置され、針調整桿１２４と接合される。これらによって、時計フレーム１１の周辺縁は外観上、出っ張りのないスムーズな曲線を形成する。【選択図】図３
0003117794.tif 000002
【実用新案登録請求の範囲】
【請求項１】
時計フレーム、そこに被せる時計構造納置台、その上に設置する蓋板から構成された携帯時計の構造において、 時計構造納置台は、周辺壁を境として時計構造納置室を形成し、その時計構造納置室内に時計構造部品を設置し、その時計構造部品から針調整桿に伸び、その周辺壁に穿孔を設置し、竜頭と針調整桿が接合することによって、針を調節するもので、針調整桿の竜頭は、時計フレームの内縁に設置され、針調整桿と接合し、フレームの外観を整えることを特徴とする携帯時計の構造。
【請求項２】
請求項１記載の針調整桿の竜頭は、その竜頭外端によって周辺壁の外縁に設置され、延長桿と針調整桿を繋ぐことを特徴とする請求項１記載の携帯時計の構造。
【請求項３】
請求項２記載の針調整桿の竜頭、その延長桿と針調整桿は、周辺壁の穿孔に入れることを特徴とする請求項２記載の携帯時計の構造。
【考案の詳細な説明】
【技術分野】
【０００１】
本考案は、携帯時計の構造に関するもので、特に針調整桿と竜頭の設置に関するものである。
【背景技術】
【０００２】
時計は、時間を表す工具で、現代では一分一秒を争う時代になっている。人は徐々に時間の重要性を知り、日時計、砂時計、水時計が現れ、現在の携帯時計(所謂腕時計、懐中時計、首掛け時計などを含む)は全て、時間を把握したいという気持ちの表れである。また腕時計の初期は実用だけのものであったが、生活面の向上が進むにつれ、美観、社会的地位、富の象徴となっている。
【０００３】
一般的な時計の構造は、腕時計、首掛け時計、懐中時計等に係わりなく、全てに時計フレームが設置され、時計フレームの周辺縁には竜頭が設置される。この竜頭は内部の時計構造納置台向きに延長桿が伸び、その延長桿と時計内部構造部品内の針調整桿と接合する。竜頭を回転させると、針調整桿が連動し、針の誤差を調整する。しかしながら、この竜頭は時計周辺縁から突出しており、外観を損なう以外に、日常生活に於いて、例として女性のストッキング、レース、シルクブラウス等を引っ掛けて破いてしまう。その時に竜頭が引っ張られてしまうこともあり（時間を調節する時、一般の竜頭は安全段があり、先ず引き出してから時間を調節する構造になっている）、不便である。
【０００４】
時計は、ネジ巻きから電子時計に移行しており、工芸や正確性からも著しく進歩している。統計に依ると、ネジ巻き時計の誤差は日ごとに計算するが、電子時計の誤差は月ごとで計算する。そのため、時間を調節する機会は大幅に減っている。また時計は精密機械に属するため、誤差が生じた場合は、専門家に依頼する方が適当である。
【考案の開示】
【考案が解決しようとする課題】
【０００５】
解決しようとする問題点は、電子時計では余り使用しない竜頭の出っ張りがあるために、柔らかい衣類を破いてしまい、美観としてもよくない点である。
【０００６】
本考案は、時計の針調整桿を接合する竜頭に接合し、それを時計フレーム内縁に設置する。針調整桿と接合することにより、フレームの周辺縁の曲線に出っ張りがなくなることを最も主要な特徴とする。
【課題を解決するための手段】
【０００７】
請求項１の考案は、時計フレーム、そこに被せる時計構造納置台、その上に設置する蓋板から構成された携帯時計の構造において、時計構造納置台は、周辺壁を境として時計構造納置室を形成し、その時計構造納置室内に時計構造部品を設置し、その時計構造部品から針調整桿に伸び、その周辺壁に穿孔を設置し、竜頭と針調整桿が接合することによって、針を調節するもので、針調整桿の竜頭は、時計フレームの内縁に設置され、針調整桿と接合し、フレームの外観を整えることを特徴とする携帯時計の構造としている。
請求項２の考案は、請求項１記載の針調整桿の竜頭は、その竜頭外端によって周辺壁の外縁に設置され、延長桿と針調整桿を繋ぐことを特徴とする請求項１記載の携帯時計の構造としている。
請求項３の考案は、請求項２記載の針調整桿の竜頭、その延長桿と針調整桿は、周辺壁の穿孔に入れることを特徴とする請求項２記載の携帯時計の構造としている。
【考案の効果】
【０００８】
本考案の携帯時計の構造は、下述の利点がある。
１.本考案は、時計のフレームに出っ張りをなくし、生活上、衣類などが竜頭に引っ張られる不便を改善する。
２.本考案は時計鈎が皮膚を傷つけることを防止する。
３.本考案は、時計の時間調節機能を除いたのではなく、時計の針調整桿によって、調整機能を残している。
４.本考案は竜頭を時計フレームの内縁に設置しため、使用者は勝手に調節できない。精密機器であるため、時間の調整が必要な場合は、専門家が蓋板を開けて調節する。
５.時計は時間を見る他に、現代人にとっては地位や美観を表現するものとなっている。また、電子時計の誤差は、一般に一年に５秒前後だけである。更に電子時計は精密度に関して、防水を重視している。本考案では竜頭を時計フレーム内縁に設置しているため、水が入るのを防止し、防水性が依り高まる。
６.本考案は、竜頭が時計フレーム内縁に設置されるため、煩雑な作業の必要がなく、コストを下げ、納品までの時間も早くなる。
【考案を実施するための最良の形態】
【０００９】
図１及び図２、３に示すとおり、本考案は携帯時計の構造に関するもので、時計１は、主に時計フレーム１１、その時計フレーム１１に時計構造納置台１２を被せる。その時計構造納置台１２背部には蓋板１３を設置する。
【００１０】
この時計構造納置台１２は、周辺壁１２１に時計構造納置室１２２が形成され、その時計構造納置室１２２内部に時計構造部品１２３を設置する。この時計構造部品１２３から針調整桿１２４が伸び、周辺壁１２１には穿孔１２５がされ、そこに竜頭１２６と針調整桿１２４が接合されて、時計の針を調整する。そのうち、
【００１１】
この針調整桿１２４の竜頭１２６は、時計フレーム１１の内縁に設置され、針調整桿１２４と接合される。これらによって、時計フレーム１１の周辺縁は外観上、出っ張りのないスムーズな曲線を形成する。
【００１２】
針調整桿１２４の竜頭１２６は、竜頭外端１２７によって周辺壁１２１外縁に設置され、延長桿１２８と針調整桿１２４で繋ぐ。また、針調整桿１２４の竜頭１２６、延長桿１２８と針調整桿１２４は、周辺壁１２１の穿孔１２５で繋いでもよい。
【図面の簡単な説明】
【００１３】
【図１】本考案の立体図である。
【図２】本考案の組立断面図である。
【図３】本考案の立体分解図である。
【符号の説明】
【００１４】
１  時計                      １１  時計フレーム
１２  時計構造納置台          １２１  周辺壁
１２２  時計構造納置室        １２３  時計構造部品
１２４  針調整桿              １２５  穿孔
１２６  竜頭                  １２７  竜頭外端
１２８  延長桿                １３  蓋板
【図１】
0003117794.tif 000003
【図２】
0003117794.tif 000004
【図３】
0003117794.tif 000005